(57)【要約】【課題】椅子を使用する際、教室への収容人員が制限されたり、着座場所への通行の妨げになったりすることを防止できる椅子を提供する。【解決手段】机２の各々の後方に設置した椅子３が、床面１４に固定されたベース１３と、該ベース１３に対して前後方向に回動可能に枢支された上下方向を向く脚支柱１２と、該脚支柱１２に取り付けられた座板１１と、からなり、脚支柱１２の前方への回動によって、天板５の下方に収容される椅子３において、椅子３における座板１１ａの下方位置に、物品を収納する後方側に開口可能な棚部１５を配置し、棚部１５の前方側に少なくとも棚部１５に収納された物品が前方に移動して落下することを防止する脚支柱１２の上端部１２ａを設け、脚支柱１２の前方への回動によって棚部１５を座板１１ａとともに前方に傾斜させたことを特徴としている。【選択図】図６
2009100817.tif 000002
【特許請求の範囲】
【請求項１】
床に固定された脚体上に天板を支持してなる机を、前後方向に適宜の間隔を置いて複数設置し、前記机の各々の後方に設置した椅子が、床に固定されたベースと、該ベースに対して前後方向に回動可能に枢支された上下方向を向く脚支柱と、該脚支柱に取り付けられた座板を有する着座部と、からなり、前記脚支柱の前方への回動によって、前記天板の下方に収容される椅子において、
前記座板の下方位置に、後方側に開口する棚部を設けるとともに、該棚部の少なくとも前方側に該棚部に収納された荷物の落下を防止する落下防止部を設け、前記脚支柱の前方への回動によって前記棚部が前記座板とともに前方に傾斜するようにしたことを特徴とする椅子。
【請求項２】
前記棚部は、その少なくとも後端部が前記座板に近づく方向に移動可能に設けられていることを特徴とする請求項１に記載の椅子。
【請求項３】
前記棚部の少なくとも後端部を前記座板に近づく方向に付勢する付勢手段が設けられていることを特徴とする請求項２に記載の椅子。
【請求項４】
前記椅子が前記天板の下方に収容された状態において、前記棚部の後端部が前記着座部の後端部よりも後方に張り出さないようになっていることを特徴とする請求項１ないし３のいずれかに記載の椅子。
【発明の詳細な説明】
【技術分野】
【０００１】
本発明は、主として教室や講義室等で使用される椅子に係り、特に椅子の使用時に机の下方に椅子を収容する収容位置から脚支柱の回動によって机の後方の使用位置に移動する椅子に関する。
【背景技術】
【０００２】
従来、学校の教室や講義室等に配置される椅子や机にあっては、例えば床に固定された脚体に天板を支持してなる机を前後方向に適宜の間隔を置いて複数配置し、机の各々の後方に椅子が配置されるものが多い。
【０００３】
この種の椅子としては、床に固定される基部と、背と座とを一体的に結合された着座部と、基部に下端部を前後方向に移動可能に連設されるとともに、着座部に上端部を前後方向に移動可能に連設された複数の脚部と、脚部の移動を一定範囲に規制する移動規制部と、を備えており、この構造により椅子の使用時には、着座部を机の後方の使用位置に移動して着座し、椅子の不使用時には、座板を使用位置から前方に移動して机の下方に収容するもの等がある（例えば、特許文献１参照）。
【０００４】
【特許文献１】特許登録第３７５１８０２号公報（第５頁、第９図）
【発明の開示】
【発明が解決しようとする課題】
【０００５】
しかしながら、上記特許文献１に記載の椅子にあっては、椅子の前方に配置された机の天板の下方に教科書やノート等が収容可能な棚が設けられているものの、カバンや上着等を収容する場所がないため、隣の座席がカバンや上着等の置き場所として使用されることで、教室への収容人員が制限されるといった問題があった。また、カバンや上着等を床置きする場合には、着座場所への通行の妨げになる。
【０００６】
本発明は、このような問題点に着目してなされたもので、椅子の使用者の荷物を、隣りの座席や床等に置くなどして邪魔にならないように収納することができる椅子を提供することを目的とする。
【課題を解決するための手段】
【０００７】
前記課題を解決するために、本発明の請求項１に記載の椅子は、
床に固定された脚体上に天板を支持してなる机を、前後方向に適宜の間隔を置いて複数設置し、前記机の各々の後方に設置した椅子が、床に固定されたベースと、該ベースに対して前後方向に回動可能に枢支された上下方向を向く脚支柱と、該脚支柱に取り付けられた座板を有する着座部と、からなり、前記脚支柱の前方への回動によって、前記天板の下方に収容される椅子において、
前記座板の下方位置に、後方側に開口する棚部を設けるとともに、該棚部の少なくとも前方側に該棚部に収納された荷物の落下を防止する落下防止部を設け、前記脚支柱の前方への回動によって前記棚部が前記座板とともに前方に傾斜するようにしたことを特徴としている。
この特徴によれば、着座者は、カバン等の荷物を使用する椅子の座板の下方位置に収納することができるため、隣の着座部等が荷物置きとして占有されることがないとともに、椅子の収容時には該椅子とともに棚部が前方に傾斜することで、棚部が椅子と該椅子の後方に配置された机との間を通行する人の邪魔になることがない。また、椅子の収容状態において棚部の後方側の開口が上方に向けて開放するため、着座者は着座する前に荷物を簡単に収納することができるばかりか、落下防止部が設けられていることで、収納された荷物の下方への落下が防止される。
【０００８】
本発明の請求項２に記載の椅子は、請求項１に記載の椅子であって、
前記棚部は、その少なくとも後端部が前記座板に近づく方向に移動可能に設けられていることを特徴としている。
この特徴によれば、椅子の収容時において棚部の後端部を座板に近づけることで、椅子と該椅子の後方に配置された机との間の通行スペースを十分に確保することができる。
【０００９】
本発明の請求項３に記載の椅子は、請求項２に記載の椅子であって、
前記棚部の少なくとも後端部を前記座板に近づく方向に付勢する付勢手段が設けられていることを特徴としている。
この特徴によれば、着座者が荷物を棚部から取り出すだけで棚部の後端部が座板に近づくため、手を煩わせることなく、椅子と該椅子の後方に配置された机との間の通行スペースを十分に確保することができる。
【００１０】
本発明の請求項４に記載の椅子は、請求項１ないし３のいずれかに記載の椅子であって、
前記椅子が前記天板の下方に収容された状態において、前記棚部の後端部が前記着座部の後端部よりも後方に張り出さないようになっていることを特徴と特徴としている。
この特徴によれば、椅子が収容された状態において棚部の後端部が着座部の後方側よりも後方の机に向かって張り出すことがないため、椅子と該椅子の後方に配置された机との間の通行スペースを十分に確保することができる。
【発明を実施するための最良の形態】
【００１１】
本発明に係る椅子を実施するための最良の形態を実施例に基づいて以下に説明する。
【実施例１】
【００１２】
本発明の実施例を図面に基づいて説明すると、先ず図１は、本発明の実施例としての机及び椅子が配置された全体像を示す側面図であり、図２は、図1の椅子を示す斜視図であり、図３は、（ａ）は椅子の収容状態を示す側面図であり、（ｂ）は椅子の使用状態を示す側面図であり、図４は、図３（ｂ）のＡ−Ａ断面図であり、図５は、椅子の収容状態を示す側面図であり、図６は、棚部の後方側が開放されている状態を示す側面図であり、図７は、椅子の使用状態を示す側面図である。以下、図１の紙面左側を椅子の前方側とし、紙面右側を椅子の後方側とし、図１の紙面上側を椅子の上方側とし、紙面下側を椅子の下方側とし、図４の紙面上側を椅子の左方側とし、紙面下側を椅子の右方側として説明する。
【００１３】
図１に示されるように、教育機関等や講義室１内には、前後方向に適宜の間隔を置いて複数設置された机２（本実施例においては３列で構成されている）と、各机２の後方に設置した椅子３と、最後部に設置された境界ボード４と、が配置されている。尚、特に図示されていないが、椅子３は、机２の左右方向、すなわち机２の長手方向に沿って複数（本実施例において３脚）配置されている。
【００１４】
机２は、左右方向に延びる矩形状の天板５と、床面上に立設され、天板５を支持する脚体６と、脚体６に取り付けた天板支持材８及び脚ベース体９と、天板支持材８の下方に取り付けられた教科書等を収納するための収納棚１０とで構成されている。
【００１５】
天板５は、側面視略Ｌ字形状に形成されており、天板支持材８と脚体６の上端面とで支持され、脚体６はその下端面と脚ベース体９により机２を安定的に立脚支持している。
【００１６】
更に、机２及び境界ボード４の天板５の前方端部には、前方の着座者が着座している状態において着座者の背中が支持される背凭れ部５ａが下方に向かって延設されている。
【００１７】
最後列の机２の後方に設けられている境界ボード４は、天板５と、脚体６と、脚ベース体９と、から構成されている。尚、境界ボード４の各構成部材は、天板支持材８を有していないだけで机２とほぼ同様の構成であるため、その説明を省略する。
【００１８】
図２及び図３（ａ）に示されるように、椅子３は、着座者を支持する着座部１１と、着座部１１を前後方向に回動する脚支柱１２と、着座部１１の下方位置に回動自在に設けられた棚部１５と、床１４に固定され、脚支柱１２を回動自在に支持するベース１３と、から主に構成されている。
【００１９】
ベース１３は、図２、図３（ａ）に示されるように、基部１３ａと、脚支柱１２の下方端部を被覆する蓋部１３ｂと、蓋部１３ｂ内に内設されたバネ等からなる付勢部材とからなり、床１４に基部１３ａがネジにより固定的に取り付けられている。
【００２０】
基部１３ａは、左右方向を向く軸棒を有し、この軸棒に脚支柱１２が前後方向に回動可能に枢支されている。さらに、この軸棒周りには、一端を脚支柱１２の前方の内周面に弾接させ、他端をベース１３に弾接させることにより、脚支柱１２をベース１３に対して前方に付勢する付勢手段たるバネ１３ｃが巻回されている（図３（ａ）参照）。
【００２１】
図３（ａ）に示されるように、脚支柱１２は通常、バネ１３ｃの弾発力により椅子３が前傾した状態、すなわち椅子３の収容状態を維持しているが、着座者が着座しようとして椅子３をその弾発力に抗して後方へ回動する場合は、着座部１１が後方に配置された机２の天板５より下方前面に近接する位置まで脚支柱１２が回動する。尚、特に図示はしないが、椅子３の前傾位置と着座位置とで脚支柱１２の移動が停止される公知のストッパ機構が内蔵されている。
【００２２】
この蓋部１３ｂの内部の構成により、後述する椅子３の収容状態において、バネ１３ｃの付勢により椅子３が前傾した状態を維持し、この収容状態から脚支柱１２に後方に向かう外力が加えられることで、脚支柱１２の前方の内周面に弾接されたバネ１３ｃの一端がこの弾接状態を維持して後方に向かって弾性変形しながら、脚支柱１２が回動するようになっている。
【００２３】
脚支柱１２は、金属等のパイプからなり、この脚支柱１２の内部は中空に形成されている。この脚支柱１２の上端部１２ａには、図４に示されるように、座板１１ａと棚部１５とを回動可能にする左右方向を向く回動軸１９が脚支柱１２を貫通して設けられている。この回動軸１９には、左右一対のブラケット１６，１６が枢支されており、これらブラケット１６，１６は、取付板１１ｃにより一体化されている。また、取付板１１ｃの上方には、側面視略Ｓ字形状に形成される板材からなる座板１１ａが固着されており、これら座板１１ａ、取付板１１ｃ、ブラケット１６，１６により着座部１１が構成されている。
【００２４】
ブラケット１６，１６は、座板１１ａが起立する起立位置（図３（ａ）参照）と、座板１１ａが床１４に対して略平行になる着座位置（図３（ｂ）参照）との間で回動自在に軸支されている。尚、特に図示はしないが、脚支柱１２には、ブラケット１６，１６を起立位置及び着座位置それぞれにおいて回動規制するストッパが設けられている。
【００２５】
また、回動軸１９には、一端が取付板１１ｃの下面に当接され、他端が脚支柱１２の上端部１２ａに形成された上下方向を向く切溝１２ｂから外方に延出されるとともに、脚支柱１２の前方側の内周面に当接されたバネ１８が巻回されている。このバネ１８により、座板１１ａが脚支柱１２に対して前方、つまり起立位置方向に向けて付勢されている（図３（ａ）参照）。
【００２６】
回動軸１９には、棚部１５の先端部が軸支されている。棚部１５は、金属等のフレーム枠により平面視四角枠状に形成されているとともに、該フレーム枠の先端部が回動軸１９に軸支されており、後端部１５ａが座板１１ａの下面から離間する使用位置（図２中実線で示される位置）と、後端が座板１１ａの下面に近接する近接位置（図２中１点鎖線で示される位置）との間で回動自在とされている。尚、特に図示はしないが、脚支柱１２には、フレーム枠を使用位置及び近接位置それぞれにおいて回動規制するストッパが設けられている。また、棚部１５を使用位置とすることで後端部１５ａが開口し、該開口から着座者が所持しているカバン等の荷物が収納できるようになっている。
【００２７】
また、回動軸１９には、一端が棚部１５の前方側の内周面に当接され、脚支柱１２の上端部１２ａに形成された上下方向を向く切溝１２ｃから外方に延出されるとともに、脚支柱１２の前方側の内周面に当接されたバネ１７が巻回されている。このバネ１７により、棚部１５の後側が座板１１ａに近づく方向に付勢されている。
【００２８】
このように棚部１５は、通常、バネ１７の弾発力により、図３（ａ）に示されるように棚部１５が前記近接位置に保持されるが、着座者が棚部１５の後部を近接位置から使用位置まで回動することで、後方側が開口し、該開口から荷物Ｂを収納することができるようになる。
【００２９】
次に椅子３の使用例について図５ないし図７に基づき説明する。尚、本実施例において着座者Ｈは最前列の左方側の椅子３に着座するものとして説明する。
【００３０】
図５に示されるように、椅子３の収容状態においては、座板１１ａはバネ１８の付勢力により起立位置に位置して起立姿勢となり、棚部１５はバネ１７の付勢力により近接位置に保持されている。つまり、座板１１ａ及び棚部１５の後端部１５ａが上方を向く前傾姿勢とされ、座板１１ａだけでなく、棚部１５の後端部１５ａも座板１１ａに近接して机２の天板５の後端よりも前方位置に収容されることで、座板１１ａ及び棚部１５の後端が後方の通路Ｒ側に張り出すことがないため、椅子３と該椅子３の後方に配置された机２との間に十分なスペースが確保される。
【００３１】
図６に示されるように、着座者Ｈが椅子３を使用する際に荷物Ｂを収納する場合には、棚部１５の後端部１５ａに手をかけて後方に移動（回動）する。これにより、棚部１５の後端部１５ａが座板１１ａの下面から離間して、座板１１ａと棚部１５との間が斜め上方に向けて開口するため、着座者Ｈは、身体を屈めたりすることなく、荷物Ｂを上方から棚部１５内に簡単に収納することができる。
【００３２】
また、棚部１５が前方に傾斜された状態であっても、棚部１５の前方に配設される脚支柱１２の上端部１２ａが、荷物Ｂが前方に移動して落下することを防止する落下防止部として機能するため、上方の開口から収納された荷物Ｂは上端部１２ａにより移動が規制されるため、荷物Ｂが床１４に落下することはない。
【００３３】
次いで、荷物Ｂが棚部１５に収納された状態で、バネ１３ｃの付勢力に抗して脚支柱１２を後方へ回動するとともに、バネ１８の付勢力に抗して座板１１ａを着座位置まで回動すると、座板１１ａとともに棚部１５も回動する。この間、棚部１５は座板１１ａ側に向けて付勢されているため、回動時に棚部１５の後方側が開口して荷物Ｂが落下することがない。
【００３４】
そして、図７に示されるように座板１１ａが着座位置まで回動されると、その下方に棚部１５が配置されることになるため、棚部１５と座板１１ａとの間に荷物Ｂが収納されている。
【００３５】
離席するときには、着座者Ｈが起立して椅子３から退避することで、バネ１３ｃ，１７，１８各々の弾性復帰力により、荷物Ｂが座板１１ａと棚部１５との間に挟持された状態で、脚支柱１２、座板１１ａ及び棚部１５がともに前方に回動して、椅子３が天板５の下方に収容される収容状態に復帰する（図５参照）。このようにバネ１３ｃ，１７，１８各々の弾性復帰力により、着座者Ｈが椅子３を収容する手間を煩わせることなく、椅子３が収容される。
【００３６】
また、棚部１５から荷物Ｂを取り出す際には、荷物Ｂを収納するときと同じように、バネ１７の弾性復帰力に抗して棚部１５の後端部１５ａを回動して開放することで、荷物Ｂを簡単に取り出すことができる。
【００３７】
以上説明したように、本発明の実施例としての椅子３にあっては、着座者Ｈは、カバン等の荷物Ｂを使用する椅子３の座板１１ａの下方位置に収納することができるため、隣の着座部等が荷物置きとして占有されることがないとともに、椅子３の収容時には該椅子３とともに棚部１５が前方に傾斜することで、棚部１５が椅子３と該椅子３の後方に配置された机２との間を通行する人の邪魔になることがない。
【００３８】
また、椅子３の収容状態において棚部１５の後方（後端部１５ａ）側の開口を上方に向けて開放することができるため（図６参照）、着座者Ｈは着座する前に荷物Ｂを簡単に収納することができる。また、落下防止部としての脚支柱１２の上端部１２ａが棚部１５の前方に設けられていることで、収納された荷物Ｂの下方への落下が防止される。
【００３９】
また、棚部１５は、その少なくとも後端部１５ａが座板１１ａに近づく方向に移動可能に設けられているだけでなく、座板１１ａに近づく方向に付勢する付勢手段としてのバネ１７が設けられていることで、着座者Ｈが荷物Ｂを棚部１５から取り出すだけで棚部１５の後端部１５ａが座板１１ａに近づくため、手を煩わせることなく、椅子３と該椅子３の後方に配置された机２との間の通行スペースを十分に確保することができる。
【００４０】
また、このように脚支柱１２に対して座板１１ａが回動自在に設けられたものにおいては、この脚支柱１２に対する座板１１ａの回動とともに棚部１５も回動するように設けられていることで、座板１１ａが起立位置にあるときでも、棚部１５の後端部１５ａを座板１１ａの下面に近接させることができるため、椅子３が下方に収容された状態において椅子３と該椅子３の後方に配置された机２との間の通行スペースを十分に確保することができる。
【００４１】
また、椅子３が天板５の下方に収容された状態において、棚部１５の後端部１５ａが座板１１ａの下面に近接し、着座部１１の後端部（座板１１ａの後端）よりも後方に張り出さないようになっていることで（図５参照）、棚部１５の後端部１５ａが着座部１１の後方側よりも後方の机に向かって張り出すことがないため、椅子３と該椅子３の後方に配置された机２との間の通行スペースを十分に確保することができる。
【実施例２】
【００４２】
次に、本発明の実施例２としての椅子３’を、図８に基づいて説明する。図８は、（ａ）は本発明の実施例２としての椅子の収容状態を示す側面図であり、（ｂ）は（ａ）の椅子の使用状態を示す側面図である。尚、本実施例において、前記実施例１で示した椅子３と構成上同様な部分については同様の符号を付すことにより、ここでの詳細な説明は省略することとする。
【００４３】
本実施例の椅子３’において、前記実施例１の椅子３と相違する点は、座板１１ａが脚支柱１２に対して回動不能に固定されているとともに、棚部２５の前端部に落下防止部が形成されている点である。
【００４４】
具体的には、棚部２５は、側面視略Ｌ字形状に形成されており、棚部２５の前端部は回動軸１９に向けて上方に屈曲されており、該屈曲された部位に、荷物Ｂが前方に移動して落下することを防止する落下防止部２５ａが形成されている。
【００４５】
このように、棚部２５の前端部を上方に向けて屈曲形成して棚部２５の一部に落下防止部２５ａを設けることで、荷物Ｂの前方からの落下が防止されるようにしてもよい。
【００４６】
また、このように落下防止部２５ａを形成するとともに、該落下防止部２５ａの上下長さを大きくすることで、特に図８（ｂ）に示されるように、棚部２５が座板１１ａの下方に配設され、棚部２５と座板１１ａとの間を幅広にすることができるので、より多くの荷物Ｂを収納することができる。
【実施例３】
【００４７】
次に、本発明の実施例３としての椅子３’’を、図９に基づいて説明する。図９は、（ａ）は本発明の実施例３としての椅子の収容状態を示す側面図であり、（ｂ）は（ａ）の椅子の使用状態を示す側面図である。
【００４８】
本実施例３における椅子３’’は、着座部３１と、脚支柱１２と、ベース１３と、棚部３５と、から形成されており、着座部３１は、座板３１ａと、取付板３１ｃと、座板３１ａの後端部３１ｂから斜め上方に向かって延設され、着座者の背中を支持する背支持部３１ｄと、から構成されている。つまり、椅子３’’は、ベース１３に対する脚支柱１２の前方への回動によって天板５の下方に収容される構成は前記実施例と同様である。
【００４９】
棚部３５は、側面視Ｌ字形状に形成された前後方向を向く左右一対の枠体と、この左右一対の枠体の間に配置される左右方向を向く軸片とから構成されている。また、棚部３５の前端部は、脚支柱１２に対して固定されている。
【００５０】
また、棚部３５は、図９（ａ）に示される椅子３’’の収容状態において、棚部３５の後端部３５ｂの前後方向における位置が、座板３１ａの後端部３１ｂの前後方向における位置と略同位置になる前後長さに形成されている。
【００５１】
このようにすることで、脚支柱１２に対して固定された棚部３５の後端部３５ｂが、椅子３’’が収容された状態において、座板３１ａの後方側よりも該椅子３’’の後方に配置された机２側に向かって出っ張ることがないため、椅子３’’と該椅子３’’の後方に配置された机２との間に十分なスペースが確保される。
【００５２】
また、座板３１ａに対して棚部３５が固定されているので、棚部３５の後方側は常に開口された状態になっているため、着座者Ｈが棚部３５を回動させることなく、荷物Ｂを簡単に収納することができる。
【００５３】
以上、本発明の実施例及び変形例を図面により説明してきたが、具体的な構成はこれら実施例に限られるものではなく、本発明の要旨を逸脱しない範囲における変更や追加があっても本発明に含まれる。
【００５４】
例えば、前記実施例１，２では、棚部１５，２５はバネ１７により座板１１ａ側に向けて付勢されていたが、特にバネ等の付勢手段により付勢することなく、単に脚支柱１２に対して回動自在に軸支されているだけでもよい。また、脚支柱１２の上端部以外の箇所に軸支してもよい。
【００５５】
さらに、棚部は座板１１ａに近づく方向に移動自在に設けられていれば、前端部を脚支柱１２に軸支することで回動自在とするものに限定されるものではなく、例えば座板１１ａに対して略平行に移動自在に設けられていてもよい。
【００５６】
また、前記実施例１〜３では、棚部１５，２５，３５は脚支柱１２に対して取り付けられていたが、座板１１ａの下方位置に配設され、かつ椅子とともに回動するようになっていれば、例えば着座部等に取り付けられてもよい。
【００５７】
また、前記実施例では、棚部はフレーム等により枠状に形成されていたが、荷物を収納可能なものであれば、例えばフレーム枠にネット等を張設してなるものや、板材等により構成されていてもよい。
【００５８】
また、前記実施例１〜３では、棚部１５，２５，３５は、後方及び左右方向に開口しているため、荷物Ｂを後方側からだけでなく左右側からも収納できるようになっていたが、これに限らず、棚部の少なくとも後方側が開口可能となっていればよく、例えば棚部の左右側に板状部材等を立設して棚部の左右側を閉塞したものであってもよい。
【００５９】
また、前記実施例１，３では、棚部１５，３５の前方に配設された脚支柱１２の上端部１２ａが落下防止部として機能しており、前記実施例２では、棚部２５の前端部に落下防止部２５ａが形成されているが、このように、棚部に収容された荷物の落下を防止するための落下防止部が棚部の前方側に設けられていれば、椅子のどの部位に落下防止部が設けられてよく、例えば、着座部１１の下面前端部等に落下防止部を設けてもよい。
【図面の簡単な説明】
【００６０】
【図１】本発明の実施例としての机及び椅子が配置された全体像を示す側面図である。
【図２】図１の椅子を示す斜視図である。
【図３】（ａ）は椅子の収容状態を示す側面図であり、（ｂ）は椅子の使用状態を示す側面図である。
【図４】図３（ｂ）のＡ−Ａ断面図である。
【図５】椅子の収容状態を示す側面図である。
【図６】棚部の後方側が開放されている状態を示す側面図である。
【図７】椅子の使用状態を示す側面図である。
【図８】（ａ）は本発明の実施例２としての椅子の収容状態を示す側面図であり、（ｂ）は（ａ）の椅子の使用状態を示す側面図である。
【図９】（ａ）は本発明の実施例３としての椅子の収容状態を示す側面図であり、（ｂ）は（ａ）の椅子の使用状態を示す側面図である。
【符号の説明】
【００６１】
１                講義室
２                机
３                椅子
５                天板
６                脚体
１１              着座部
１１ａ            座板
１２              脚支柱
１２ａ            上端部（落下防止部）
１３              ベース
１５              棚部
１５ａ            後端部
１７              バネ（付勢手段）
Ｂ                荷物
【図１】
2009100817.tif 000003
【図２】
2009100817.tif 000004
【図３】
2009100817.tif 000005
【図４】
2009100817.tif 000006
【図５】
2009100817.tif 000007
【図６】
2009100817.tif 000008
【図７】
2009100817.tif 000009
【図８】
2009100817.tif 000010
【図９】
2009100817.tif 000011